(57)【要約】【課題】開閉レバーの開閉動作以外の操作をしなければ、施錠した状態から開閉レバーが開かないパチン錠を提供する。【解決手段】台座５と、台座５に回動可能に支持された開閉レバー６と、開閉レバー６を閉じた状態で、開閉レバー６の開方向にほぼ平行な中心軸の周りに回動可能に、台座５または開閉レバー６に支持される回転棒１４と、を備えるパチン錠であって、回転棒１４は、少なくとも開閉レバー６の開閉動作に干渉しない位置と、開閉レバー６が閉じた状態では、開閉レバー６の開く動作に干渉し、開閉レバー６を動かせない位置に回転操作できる。【選択図】図２Ｃ
2009046812.tif 000002
【特許請求の範囲】
【請求項１】
台座と、
前記台座に回動可能に支持された開閉レバーと、
前記開閉レバーを閉じた状態で、前記開閉レバーの開方向にほぼ平行な中心軸の周りに回動可能に、前記台座または前記開閉レバーに支持される回転部材とを備え、
前記回転部材は、少なくとも前記開閉レバーの開閉動作に干渉しない位置と、前記開閉レバーが閉じた状態では、前記開閉レバーの開く動作に干渉し、前記開閉レバーを動かせない位置に回転操作できる、
ことを特徴とするパチン錠。
【請求項２】
前記回転部材は、前記台座に回動可能に支持され、
前記回転部材と係合する係合部が前記開閉レバーに設けられる
ことを特徴とする請求項１に記載のパチン錠。
【請求項３】
前記係合部は、前記回転部材と掛合して、前記回転部材の回転を抑止する凹み部が設けられる、ことを特徴とする請求項２に記載のパチン錠。
【請求項４】
前記回転部材は、前記開閉レバーに回動可能に支持され、
前記回転部材と係合する係合部が前記台座に設けられる
ことを特徴とする請求項１に記載のパチン錠。
【請求項５】
前記係合部は、前記回転部材と掛合して、前記回転部材の回転を抑止する凹み部が設けられる、ことを特徴とする請求項４に記載のパチン錠。
【請求項６】
前記回転部材を前記台座又は前記開閉レバーに回動可能に支持する支持部材と前記回転部材との間に、前記回転部材が前記凹み部に掛合した際に、前記回転部材を前記凹み部の方向に付勢する付勢手段が介在する、ことを特徴とする請求項１ないし５のいずれかに記載のパチン錠。 
【請求項７】
前記付勢手段は、ばねであることを特徴とする請求項６に記載のパチン錠。
【請求項８】
前記パチン錠は、閃光灯装置の筐体に用いられるパチン錠であることを特徴とする請求項１ないし７のいずれかに記載のパチン錠。
【発明の詳細な説明】
【技術分野】
【０００１】
本発明は、パチン錠に関する。より詳しくは、閃光灯装置のフタに用いられるパチン錠に関する。
【背景技術】
【０００２】
一般に、筐体におけるケース本体とフタなどの分離したものを互いに分離しないよう、一時的に係止しておく際に使用される係止手段としてパチン錠と呼ばれる留め具が使用されている。
【０００３】
従来のパチン錠は、筐体におけるケース本体の端部付近に固定された台座と台座上に設けられた錠軸受けと、この錠軸受けに取り付けられた錠軸を軸にして回動可能に錠軸受けに取り付けられた開閉レバーと、開閉レバーのほぼ中央に取り付けられたレバー軸を軸にして回動可能に開閉レバーに取り付けられたジョイントと、フタの端部付近に固定されたジョイントの先端のカギ部と噛み合うフックとから構成されている。このパチン錠において、ジョイントのカギ部をフックのカギ部に噛み合わせ、開閉レバーをケース本体側へ倒すことで、ケース本体とフタを互いに分離しないように係止できる。また、上記係止と逆の手順、すなわちケース本体側へ倒れている開閉レバーを引いてジョイントとフックの噛み合わせを解除することでケース本体とフタを分離し、フタを開けることができる。
【０００４】
一般に装置、特に電気機器において、筐体におけるケース本体とフタを係止するために、パチン錠が用いられることがある。この装置において、その稼働期間中に内部点検をしたり、部品を交換したり、設定の変更を行ったりするために、筐体の一部を開いて内部を見る必要がある。この点検等の作業効率を上げるために、筐体のケースとフタを容易な操作で、確実に係止するパチン錠であることが必要である。
【０００５】
例えば、特許文献１には、錠軸受けにヒンジ軸可動用の孔部を設けたヒンジ機構を有することにより、分離したケース本体とフタの可動範囲を、孔部内部をヒンジ軸が稼働する範囲と、ヒンジ軸の回りの回動方向とに制限することができるので、筐体などのヒンジ部として使用できるパチン錠について記載されている。
【０００６】
特許文献２には、台座と台座に回動自在に支持される開閉レバーと開閉レバーに回動自在に支持される係止レバーとでなるパチン錠が記載されている。特許文献２の技術は、パチン錠が閉蓋された際に台座の先端部と開閉レバーの先端部とを係止するロック手段において、開閉レバーを台座側へ閉蓋させると、リリーフレバーの係止部が台座の係止部に係合する。リリーフレバーは、トーションバネにより、常に台座の係止部との係合方向へ付勢されるので、開閉レバーのレバー部に解錠方向への力が不意に加わったとしても、開閉レバーが開くのを防ぐことができる。
【０００７】
パチン錠以外の固定機構として、例えば、ディスプレイ装置を載設する回転／チルト台の構造において、逆Ｔ形状のレバーの上端部を長孔に遊挿して手操作にて左右にスライドするノブをスライドさせることで、台とディスプレイ装置は固定され、移動可能にする回転／固定機構が特許文献３に記載されている。
【０００８】
そのほか、開閉装置のドアのための棒ロックにおいて、揺動レバーロックとしての棒ロックの使用に関して、外側フタが揺動レバーを沈下可能に収容する凹所が形成される棒ロックによるロック機構がある（特許文献４）。
【特許文献１】特開２０００−０８７６２９号公報
【特許文献２】特開２００１−２４１２５０号公報
【特許文献３】特開平０７−２９８１７０号公報
【特許文献４】特表２００１−５２１５９１号公報
【発明の開示】
【発明が解決しようとする課題】
【０００９】
しかしながら、上述の関連する技術のパチン錠において、開閉レバーを開く方向に力が不意に働くと、開閉レバーが開いてパチン錠がゆるみ、筐体のケース本体とフタの間にすきまが開くことがある。さらに、パチン錠のジョイントがはずれてフタが開いてしまうこともある。特許文献２のように、開閉レバーが上がらないように係止する手段を設けた場合、パチン錠が複雑な構造になる。また、開閉レバーの開閉状態は近くでしか確認できない、という問題もある。
【００１０】
本発明は、特に閃光灯装置等の筐体におけるケース本体とフタに適用することを想定している。閃光灯は、例えば、鉄塔、煙突、吊り橋の橋脚、などの非常に高い建造物や滑走路の導光などに備え付けられ、常時閃光を発して航空機等にその位置を知らせるものである。閃光灯は常時作動するため、定期的に管球を交換するなどの保守が必要である。さらに、雨天には雨にさらされるので、防雨構造が必要である。
【００１１】
閃光灯の保守作業をする場合、屋外の高所の狭い空間での作業となるので、作業時間を短縮し、安全に作業するために閃光灯のケース本体とフタは簡単な操作で開閉できることが要求される。さらに、例えば保守作業終了後に高所から降りる際、作業員の工具などが不意にパチン錠に接触し、開閉レバーの開方向に力が加わった場合、開閉レバーは開いたままの状態になってしまう。すると、閃光灯のケース本体とフタの間に隙間ができて、閃光灯内に雨が侵入してしまう。
【００１２】
そこで、パチン錠の開閉レバーの開方向へ不意な力が働いた場合でも、開閉レバーが開かないように、簡単な構造で開閉レバーを係止することが要望される。また、開閉レバーが係止されている状態を離れた位置から視認できることが望まれる。
【００１３】
本発明は、こうした状況を鑑みてなされたものであり、開閉レバーの開動作以外の操作をしなければ、施錠した状態から開閉レバーが開かないパチン錠を提供することを目的とする。
【課題を解決するための手段】
【００１４】
上記目的を達成するため、本発明の第１の観点に係るパチン錠は、
台座と、
前記台座に回動可能に支持された開閉レバーと、
前記開閉レバーを閉じた状態で、前記開閉レバーの開方向にほぼ平行な中心軸の周りに回動可能に、前記台座または前記開閉レバーに支持される回転部材とを備え、
前記回転部材は、少なくとも前記開閉レバーの開閉動作に干渉しない位置と、前記開閉レバーが閉じた状態では、前記開閉レバーの開く動作に干渉し、前記開閉レバーを動かせない位置に回転操作できる、
ことを特徴とする。
【００１５】
好ましくは、前記回転部材は、前記台座に回動可能に支持され、
前記回転部材と係合する係合部が前記開閉レバーに設けられる
ことを特徴とする。
【００１６】
前記係合部は、前記回転部材と掛合して、前記回転部材の回転を抑止する凹み部が設けられてもよい。
【００１７】
また、前記回転部材は、前記開閉レバーに回動可能に支持され、
前記回転部材と係合する係合部が前記台座に設けられてもよい。
【００１８】
またさらに、前記係合部は、前記回転部材と掛合して、前記回転部材の回転を抑止する凹み部が設けられてもよい。
【００１９】
なお、好ましくは、前記回転部材を前記台座又は前記開閉レバーに回動可能に支持する支持部材と前記回転部材との間に、前記回転部材が前記凹み部に掛合した際に、前記回転部材を前記凹み部の方向に付勢する付勢手段が介在する、ことを特徴とする。 
【００２０】
好ましくは、前記付勢手段は、ばねである。
【００２１】
特に、前記パチン錠は閃光灯装置の筐体に用いられるパチン錠の場合がある。
【発明の効果】
【００２２】
本発明によれば、開閉レバーの開閉操作以外の操作をしなければ、パチン錠の開閉レバーに不意な力が働いても開かないように、開閉レバーを係止することができる。
【発明を実施するための最良の形態】
【００２３】
以下、本発明の実施の形態に係るパチン錠について図面を参照しながら詳細に説明する。なお、図中の同一又は相当部分には同一符号を付し、その説明は繰り返さない。
【００２４】
図１は、本発明の実施の形態に係るパチン錠４を有する閃光灯の筐体１の一例を示す立面図である。図１（ａ）は閃光灯の筐体１におけるフタ３が閉じた状態の図であり、図１（ｂ）は閃光灯の筐体１におけるフタ３を開いた状態を示す図である。
【００２５】
図１に示すように、閃光灯の筐体１は、ケース本体２、フタ３およびパチン錠４から構成される。筐体１は閃光灯を収容する箱体であり、図１（ａ）に示すように、ケース本体２とフタ３とは筐体１の側面に設けられたパチン錠４によって閉じた状態に保持される。図１（ｂ）に示すようにパチン錠４を解錠して、筐体１のフタ３を開けた場合、パチン錠４はケース本体２側とフタ３側とに分離される。ケース本体２側には、パチン錠４をケース本体２に固定するための台座５と、パチン錠４を開閉するための開閉レバー６と、ケース本体２とフタ３を繋げるジョイント７が設けられる。フタ３側には、ジョイント７の先端と係合してケース本体２とフタ３を係止するフック８が設けられる。閃光灯は図１に示す収納部９内に収納される。
【００２６】
（実施の形態１）
図２Ａ〜図２Ｃは本発明の実施の形態１に係るパチン錠４の平面図であり、図３Ａ〜３Ｃは図２Ａ〜図２Ｃのパチン錠４の側面図である。図２Ａと図３Ａ、図２Ｂと図３Ｂ、図２Ｃと図３Ｃがそれぞれ対応している。図２Ａ〜図２Ｃと図３Ａ〜図３Ｃを対応させて、実施の形態１におけるパチン錠４の構造と開閉する時の作用を説明する。パチン錠４の理解を容易にするために閃光灯の筐体１の図は以下省略する。
【００２７】
図２Ａおよび図３Ａは、開閉レバー６を大きく開いた状態のパチン錠４を示す平面図および側面図である。図３Ａに示すように、パチン錠４は、台座５上に設けられた錠軸受け１０と、錠軸受け１０の上部に取り付けられた錠軸１１と、錠軸１１を軸にして回動可能に取り付けられた開閉レバー６と、開閉レバー６に設けられた回転軸１２を軸として回動可能に設けられたジョイント７、ジョイント７と係合するフック８を備える。そして、台座５には回転軸１３が固定され、回転軸１３を中心に回動可能に取り付けられた回転棒１４を備える。回転棒１４は、開閉レバー６と台座５を係止するために設けられたものである。図２Ａに示すように、回転軸１３は、開閉レバー６を閉じた位置における開閉レバー６を開く方向にほぼ平行である。また、回転棒１４は回転軸１３を中心に時計回り、反時計回りのどちらの方向にも回動可能である。
【００２８】
図２Ｂおよび図３Ｂは、開閉レバー６を閉じる途中の状態を示す平面図および側面図である。図３Ｂに示すように、ジョイント７の先端をフック８に引っ掛けて、開閉レバー６を台座５側に閉じていく。この時、開閉レバー６は錠軸１１を中心に回転する。そして、ジョイント７の回転軸１２は開閉レバー６の錠軸１１を中心として、錠軸１１の回りを回転する。その結果、ジョイント７の先端に引っ掛けられたフック８は、台座５に引き寄せられる。図２Ｂに示すように、回転棒１４は開閉レバー６の長手方向に平行な場合、開閉レバー６の開閉動作には干渉しないので、開閉レバー６は自由に開閉できる。
【００２９】
図２Ｃおよび図３Ｃは開閉レバー６を閉じて、回転棒１４で係止した状態を示す平面図および側面図である。図３Ｃに示すように、開閉レバー６を台座５側に閉じた後、回転棒１４を回転させる。図２Ｃに示すように、回転棒１４は開閉レバー６の長手方向とほぼ直交したときに、開閉レバー６の上面と接触する。このとき、開閉レバー６を開く方向に力が加わっても、回転棒１４が開閉レバー６に引っ掛かるので、開閉レバー６は開かない。したがって、回転棒１４の向きによって開閉レバー６を閉じた状態に係止したり、自由に開閉できるようにすることができる。また、パチン錠４を解錠する為には、上記と逆の手順、つまり回転棒１４を開閉レバー６と平行をなす位置まで回転させてから、開閉レバー６を開く。
【００３０】
以上説明したとおり、本実施の形態１に係るパチン錠４は、開閉レバー６を台座５側に閉じた後、回転棒１４を開閉レバー６と直交するように回転させることで、開閉レバー６が開かないように係止する。その結果、開閉レバー６に力が加わっても、開くことがない。開閉レバー６を開くためには、回転棒１４を回転させて係止状態を解かなければならないので、誤って開閉レバー６を開いてしまうのを防止することができる。また、離れた所からでも回転棒１４の向きを視認して、パチン錠４の開閉状態を確認することができる。
【００３１】
(実施の形態２）
実施の形態２に係るパチン錠４は、回転棒１４が係合する部分に凹み部を設ける。図４Ａは実施の形態２に係るパチン錠４の平面図、図４Ｂと図４Ｃは実施の形態２に係るパチン錠４の側面図である。本実施の形態のパチン錠４は、回転棒１４が嵌る凹み部１５を設ける構成が実施の形態１と異なり、その他の構成については実施の形態１と同様である。パチン錠４の構成の理解を容易にする為に、以下の図にはジョイント７の先端とフック８を省略している。
【００３２】
本実施の形態のパチン錠４では、開閉レバー６の上面に回転棒１４が嵌る凹み部１５が形成される。図４Ａでは、凹み部１５をハッチングで示す。凹み部１５は、実施の形態１で説明したように、回転棒１４を開閉レバー６と垂直をなす位置まで回転させて開閉レバー６と台座５を係止する際に、回転棒１４が開閉レバー６と係合する部分に形成される。図４Ｂに示すように、回転棒１４の係止状態を解除する際に、回転棒１４を回転操作しやすいように、凹み部１５は開閉レバーの端面から段差のない斜面で形成される。凹み部１５は図４Ｂのように曲面でもよい。
【００３３】
図４Ｃは、回転棒１４によって開閉レバー６を係止した状態の側面図である。開閉レバー６を台座５側に閉じたのち、回転棒１４を回転させて開閉レバー６と垂直をなす位置まで回転させると、回転棒１４は凹み部１５に掛合する。回転棒１４が凹み部１５に掛合して安定するので、例えば振動不意な力によって回転棒１４が勝手に回転して開閉レバー６と台座５の係止状態を解かれることを防ぐことができる。また、パチン錠４を解錠する為には、上記と逆の手順、つまり回転棒１４を開閉レバー６と平行な位置まで回転させたのち、開閉レバー６を開く。この時、凹み部１５は開閉レバー６の端面と段差のない曲面で形成されるので、回転棒１４を回転させるだけで操作できる。
【００３４】
以上に示した本実施の形態２に係るパチン錠４は、回転棒１４を回転させて開閉レバー６と台座５を係止する際に、開閉レバー６上面に設けられた凹み部１５に回転棒１４が掛合して安定するので、開閉レバー６に振動などが加わって少しずつ回転棒１４が回転し、開閉レバー６の係止状態が解除されることを防ぐことができる。
【００３５】
（実施の形態３）
実施の形態３は、さらに、バネなどで回転棒１４を開閉レバー６の係合する部分に押しつける構成である。図５Ａは実施の形態３に係るパチン錠４の平面図、図５Ｂおよび図５Ｄは実施の形態３に係るパチン錠４の側面図である。なお、本実施の形態のパチン錠４は、回転棒１４の回転軸１３と回転棒１４との間にばね１６を設ける構成が実施の形態２と異なる。その他の構成については実施の形態２と同様である。
【００３６】
図５Ａ、図５Ｂは本実施の形態のパチン錠４の開状態を示す図である。図５Ｃは、図５Ｂのパチン錠４の回転棒１４の周囲を拡大した図である。図５Ａに示すように、回転棒１４を回転軸１３に沿って図５Ａの下方向に付勢するようにばね１６が取り付けられている。図５Ｂ、図５Ｃに示すように、ばね１６は回転棒１４の回転軸１３の頂点と回転棒１４の間に取り付けられる。回転棒１４が開閉レバー６に係合していない状態では、ばね１６は台座５側に伸びている。
【００３７】
図５Ｄは本実施の形態のパチン錠４を施錠した際の側面図である。図５Ｅは、図５Ｄの回転棒１４の周囲を拡大した図である。図５Ｄに示すように、パチン錠４を施錠するには、開閉レバー６を台座５側に閉じた後に、回転棒１４をばねの弾性力に抗して引き上げ、開閉レバー６と垂直をなす位置まで回転させ、開閉レバー６上の凹み部１５に掛合させる。このとき、回転棒１４は、ばね１６の弾性力によって開閉レバー６の凹み部１５と掛合する方向に付勢される。
【００３８】
実施の形態３に係るパチン錠４は、回転棒１４と回転軸１３の間にばね１６を備える。このパチン錠４の開閉レバー６を回転棒１４で係止した状態では、開閉レバー６の開方向への力が不意に加わったとしても、回転棒１４によって押さえられるので、開閉レバー６は開くことはない。さらに、回転棒１４は常にばね１６によって開閉レバー６上面の凹み部１５との係合方向へ付勢されているので、振動などによって回転棒１４がわずかに回転しても、凹み部１５の底にもどり、安定した係止状態を保つ。
【００３９】
（実施の形態４）
実施の形態４は、開閉レバー６を係止するときの回転棒１４の回転位置が異なる構成である。図６Ａは、本実施の形態に係るパチン錠４の開状態の平面図であり、図６Ｂは図６Ａのパチン錠４の側面図である。
【００４０】
図６Ｂに示すように本実施の形態４のパチン錠４では、回転棒１４が掛合する凹み部１５を有する回転棒誘導部１７が二つ、回転棒１４の回転軸１３を中心に対向するように開閉レバー６上に形成される。図６Ａに示すように、本実施の形態のパチン錠４では、回転棒１４は開閉レバー６の長手方向に直交する回転位置では、開閉レバー６の開閉動作に干渉しない。そして、開閉レバー６を閉じた状態で回転棒１４を開閉レバー６の長手方向に平行な回転位置に回転させると、回転棒１４は開閉レバー６と台座５を係止する。
【００４１】
図６Ｃは、図６ＢのＡ−Ａ線で示す断面図である。図６Ｃは回転棒１４が開閉レバー６の長手方向と直交する場合を占める。図６Ｄは回転棒１４が開閉レバー６の長手方向に平行な場合のＡ−Ａ線断面図である。
【００４２】
図６Ｃに示すように、開閉レバー６に形成された回転棒誘導部１７は、回転棒１４の回転軸１３を中心に向かうにつれて凸状に形成される。回転棒誘導部１７の最上部には回転棒１４が嵌る凹み部１５が形成されている。回転棒１４と回転軸１３の間には、実施の形態３と同様、ばね１６があって、回転棒１４を台座５の方向に付勢している。
【００４３】
図６Ｄに示すように、回転棒１４を開閉レバー６の長手方向に直交する方位角から、平行な方位角に回転させると、回転棒１４の両端は回転棒誘導部１７の斜面に沿って上って行くので、回転棒１４は、ばね１６の付勢力に逆らって回転軸１３の先端の方へ押し上げられる。そして、回転棒１４は開閉レバー６の長手方向に平行になったときに、回転棒誘導部１７の最上部の凹み部１５に掛合する。この状態で、開閉レバー６は、ばね１６と回転棒誘導部１７を介して回転棒１４に係止されるので、開閉レバー６に力が加わっても開くことはない。回転棒１４は、ばね１６の弾性力によって回転棒誘導部１７の凹み部１５と係合する方向に付勢されるので、実施の形態３と同様、振動などによって回転棒１４がわずかに回転しても、凹み部１５の底に戻り、安定した係止状態を保つ。
【００４４】
（実施の形態５）
実施の形態５は、パチン錠４の回転棒１４を、開閉レバー６側に設ける場合の構成である。図７Ａ〜図７Ｃは本発明の実施の形態５に係るパチン錠４を開錠した状態の図である。図８Ａ〜図８Ｃは実施の形態５に係るパチン錠４を施錠した状態の図である。
【００４５】
図７Ａは本実施の形態５に係るパチン錠４の平面図であり、図７Ｂは側面図である。図７Ｂに示すように、回転軸１３は開閉レバー６の上面に形成され、回転棒１４は回転軸１３に回動可能に支持される。回転軸１３は開閉レバー６の開閉方向にほぼ平行である。そして、台座５上には回転棒１４と係合する凹み部１５を有する係合部１８が形成される。図７Ａに示すように、２つの係合部１８は回転棒１４の両端と係合するように開閉レバー６の両側に対向して形成される。図７Ｃは、図７ＡのＢ−Ｂ線断面図である。図７Ｃに示すように、回転棒１４は開閉レバー６の長手方向と平行をなす回転位置の場合、開閉レバー６の開閉動作には干渉しないので、開閉レバー６は開閉操作できる。
【００４６】
図８Ａは開閉レバー６を回転棒１４で係止した状態の平面図であり、図８Ｂはその側面図である。パチン錠４を施錠する際、開閉レバー６を閉じた後に、回転棒１４を台座５側に押しつけながら開閉レバー６の長手方向に直交させるように回転させると、回転棒１４は台座５に形成された係合部１８と係合する。係合部１８には凹み部１５が形成されているので、回転棒１４は凹み部１５に掛合する。図８Ｃは、図８ＡのＣ−Ｃ線断面図である。図８Ｃに示すように、回転棒１４は、ばね１６の力によって台座５の凹み部１５と係合する方向に付勢される。この状態で開閉レバー６は、ばね１６と回転棒１４を介して係合部１８に係止されるので、開閉レバー６に力が加わっても開くことはない。また、回転棒１４には、ばね１６の弾性力が働くので、振動などによって回転棒１４がわずかに回転しても、凹み部１５の底に戻り、安定した係止状態を保つ。
【００４７】
以上説明したように、回転棒１４を開閉レバー６に回動可能に支持する場合でも、実施の形態１〜４と同様に、開閉レバー６を閉じた状態で開閉レバー６を確実に係止するように構成することができる。
【００４８】
図７Ａないし図８Ｃでは、「−」字形状の回転棒１４の場合を示したが、「工」字形状の回転部材を用いてもよい。図９Ａおよび図９Ｂは実施の形態５の変形例に係るパチン錠４の断面図である。図９Ａおよび図９Ｂは、図８ＡのＣ−Ｃ線の位置の断面図に相当する。図９Ａは開閉レバー６を開いた状態、図９Ｂは開閉レバー６を閉じて係止した状態を示す。
【００４９】
回転棒１４と、つまみ２２と、回転棒１４とつまみ２２を連結する連結部材２３から回転部材は構成され、「工」字形状をなしている。回転部材は連結部材２３の部分で、開閉レバー６の両側を連絡する架橋２０に回転可能に支持される。回転棒１４はつまみ２２と一体になって回転する。架橋２０と回転部材のつまみ２２の間にばね１６があって、つまみ２２を図９Ａで上に押し上げる方向に付勢している。
【００５０】
台座５に回転棒１４が通過する孔１９と、孔１９の両側に係合部１８が形成されている。孔１９は回転棒１４が通過するように縦長に形成されている。開閉レバー６を閉じて、回転棒１４を孔１９に通し、つまみ２２を持って回転部材を回転させて、孔１９の両側に形成した係合部１８に回転棒１４を係合させると、開閉レバー６を閉じた状態に係止することができる。係合部１８に、回転棒が嵌る凹部を形成してもよい。この場合、つまみ２２が開閉レバー６の外側に出るようにすると、離れた場所から回転部材の向きを視認することが容易である。
【００５１】
本発明の実施の形態について説明したが、本発明は上述した実施の形態に限定されることなく、本発明の範囲内で種々の実施の形態が可能である。
【図面の簡単な説明】
【００５２】
【図１】本発明のパチン錠を用いる閃光灯の筐体の立面図である。
【図２Ａ】本発明の実施の形態１に係るパチン錠の解錠した状態の平面図である。
【図２Ｂ】実施の形態１に係るパチン錠の施錠した状態の平面図である。
【図２Ｃ】実施の形態１に係るパチン錠の開閉レバーを係止した状態の平面図である。
【図３Ａ】図２Ａのパチン錠の側面図である。
【図３Ｂ】図２Ｂのパチン錠の側面図である。
【図３Ｃ】図２Ｃのパチン錠の側面図である。
【図４Ａ】本発明の実施の形態２に係るパチン錠の平面図である。
【図４Ｂ】実施の形態２に係るパチン錠の解錠した状態の側面図である。
【図４Ｃ】実施の形態２に係るパチン錠の施錠した状態の側面図である。
【図５Ａ】本発明の実施の形態３に係るパチン錠の平面図である。
【図５Ｂ】実施の形態３に係るパチン錠の解錠した状態の側面図である。
【図５Ｃ】図５Ｂの回転棒付近の拡大図である。
【図５Ｄ】実施の形態３に係るパチン錠の施錠した状態の側面図である。
【図５Ｅ】図５Ｄの回転棒付近の拡大図である。
【図６Ａ】本発明の実施の形態４に係るパチン錠の平面図である。
【図６Ｂ】実施の形態４に係るパチン錠の側面図である。
【図６Ｃ】図６ＢのＡ−Ａ線断面図である。
【図６Ｄ】実施の形態４に係るパチン錠の開閉レバーを係止した状態の断面図である。
【図７Ａ】本発明の実施の形態５に係るパチン錠の平面図である。
【図７Ｂ】実施の形態５に係るパチン錠の解錠した状態の側面図である。
【図７Ｃ】図７ＡのＢ−Ｂ線断面図である。
【図８Ａ】実施の形態５に係るパチン錠の施錠した状態の平面図である。
【図８Ｂ】実施の形態５に係るパチン錠の施錠した状態の側面図である。
【図８Ｃ】図８ＡのＣ−Ｃ線断面図である。
【図９Ａ】実施の形態５の変形例に係るパチン錠の開閉レバーを開いた状態の断面図である。
【図９Ｂ】実施の形態５の変形例に係るパチン錠の開閉レバーを係止した状態の断面図である。
【符号の説明】
【００５３】
１  閃光灯の筐体
２  ケース本体
３  フタ
４  パチン錠
５  台座
６  開閉レバー
７  ジョイント
８  フック
９  収納部
１０  錠軸受け
１１  錠軸
１２  回転軸（ジョイントの）
１３  回転軸（回転棒の）
１４  回転棒
１５  凹み部
１６  ばね
１７  回転棒誘導部
１８  係合部
【図１】
2009046812.tif 000003
【図２Ａ】
2009046812.tif 000004
【図２Ｂ】
2009046812.tif 000005
【図２Ｃ】
2009046812.tif 000006
【図３Ａ】
2009046812.tif 000007
【図３Ｂ】
2009046812.tif 000008
【図３Ｃ】
2009046812.tif 000009
【図４Ａ】
2009046812.tif 000010
【図４Ｂ】
2009046812.tif 000011
【図４Ｃ】
2009046812.tif 000012
【図５Ａ】
2009046812.tif 000013
【図５Ｂ】
2009046812.tif 000014
【図５Ｃ】
2009046812.tif 000015
【図５Ｄ】
2009046812.tif 000016
【図５Ｅ】
2009046812.tif 000017
【図６Ａ】
2009046812.tif 000018
【図６Ｂ】
2009046812.tif 000019
【図６Ｃ】
2009046812.tif 000020
【図６Ｄ】
2009046812.tif 000021
【図７Ａ】
2009046812.tif 000022
【図７Ｂ】
2009046812.tif 000023
【図７Ｃ】
2009046812.tif 000024
【図８Ａ】
2009046812.tif 000025
【図８Ｂ】
2009046812.tif 000026
【図８Ｃ】
2009046812.tif 000027
【図９Ａ】
2009046812.tif 000028
【図９Ｂ】
2009046812.tif 000029